(57)【要約】      （修正有）【課題】電子モジュール用のモジュールインタフェースを提供し、このモジュールインタフェースにより、特性の異なる複数の電子モジュールに対し、高いフレキシビリティおよび可変の可用性を可能にすることである。【解決手段】コンビネーションコネクタを備えた電子モジュールを構成して、このコンビネーションコネクタに、異なる極数のコンタクト要素、すなわち複数のコンタクト要素の異なる複数の接続ダイアグラムを備えた複数の対応コネクタを接続できるようにする。モジュールインタフェースは、ハードウェア的に設定される所定のタイプに専用に確定されてしまうことがなく、この電子モジュールのコンビネーションコネクタには選択的に種々異なるコネクタタイプを接続することができる。【選択図】図１
2017037840.tif 000002
【特許請求の範囲】
【請求項１】
所定極数のコンタクト要素を備えかつ電子モジュールに設けられた装置側コネクタを有するモジュールインタフェースにおいて、
前記モジュールインタフェースは、異なる極数のコンタクト要素を備えた複数の対応コネクタとコネクタ接続を形成するように形成されている、
ことを特徴とするモジュールインタフェース。
【請求項２】
複数の前記装置側コネクタに、種々異なる複数の対応コネクタを接続することにより、前記モジュールインタフェースおよび／または前記電子モジュールの機能が変更される、
請求項１に記載のモジュールインタフェース。
【請求項３】
前記装置側コネクタは、レセプタクルであり、
前記対応コネクタは、プラグ（２２ａ、２２ｂ）として形成されている、
請求項１または２に記載のモジュールインタフェース。
【請求項４】
種々異なる対応コネクタの複数の前記コンタクト要素は、前記装置側コネクタの種々異なる複数のコンタクト要素に接触接続される、
請求項１から３までのいずれか１項に記載のモジュールインタフェース。
【請求項５】
前記装置側コネクタは、５極の対応コネクタおよび８極の対応コネクタを接続するために形成されており、
前記装置側コネクタは、前記５極の対応コネクタを接続するための５個のコンタクト要素と、前記８極の対応コネクタを接続するための別の８個のコンタクト要素と、を有する、
請求項４に記載のモジュールインタフェース。
【請求項６】
前記装置側コネクタは、前記電子モジュールに接続可能な接続モジュール（１０、１１）を構成する、
請求項１から５までのいずれか１項に記載のモジュールインタフェース。
【請求項７】
前記接続モジュール（１０、１１）は、前記電子モジュールのプリント基板（１８）に接触接続可能である、
請求項６に記載のモジュールインタフェース。
【請求項８】
前記接続モジュール（１０、１１）は、前記電子モジュールにおける交換可能なユニットを構成している、
請求項６または７に記載のモジュールインタフェース。
【請求項９】
前記対応コネクタまたは各対応コネクタは、電子モジュールに接触接続可能な接続モジュール（１０、１１）を構成する、
請求項１から８までのいずれか１項に記載のモジュールインタフェース。
【請求項１０】
前記コネクタまたは各コネクタは、ケーブル（１４）を接続するための接続モジュール（１０、１１）の構成部分である、
請求項１から８までのいずれか１項に記載のモジュールインタフェース。
【請求項１１】
前記接続モジュール（１０、１１）は、ケーブルコネクタ（２４）またはケーブルレセプタクル（２７）の形態のケーブル接続部を有する、
請求項１０に記載のモジュールインタフェース。
【請求項１２】
前記ケーブル接続部の前記ケーブルコネクタ（２４）または前記ケーブルレセプタクル（２７）のコンタクト要素の極数は、前記対応コネクタのコンタクト要素の極数に等しい、
請求項１０または１１に記載のモジュールインタフェース。
【請求項１３】
前記ケーブル接続部の前記ケーブルコネクタ（２４）または前記ケーブルレセプタクル（２７）と、前記対応コネクタとは、コンタクト要素の同じ接続ダイアグラムを有しており、
前記ケーブル接続部の前記ケーブルコネクタ（２４）または前記ケーブルレセプタクル（２７）の各コンタクト要素は、前記対応コネクタのコンタクト要素の線路（２０）に直接接続されている、
請求項１２に記載のモジュールインタフェース。
【請求項１４】
前記ケーブル接続部の前記ケーブルコネクタ（２４）または前記ケーブルレセプタクル（２７）と、前記対応コネクタとは、コンタクト要素の異なる接続ダイアグラムを有しており、
前記接続モジュール（１０、１１）に変換手段が設けられており、前記変換手段を用いて、前記ケーブル接続部の前記ケーブルコネクタ（２４）または前記ケーブルレセプタクル（２７）の前記接続ダイアグラムが、前記対応コネクタの接続ダイアグラムに変換される、
請求項１２に記載のモジュールインタフェース。
【請求項１５】
前記変換手段は、基板（２９）を有する、
請求項１４に記載のモジュールインタフェース。
【発明の詳細な説明】
【技術分野】
【０００１】
本発明は、電子モジュール用のモジュールインタフェースに関する。
【背景技術】
【０００２】
上述のタイプの電子モジュールは一般的に、セーフティ技術およびオートメーション技術用のアセンブリを構成することができ、これらのアセンブリは、特にセーフティスイッチとして形成することが可能である。
【０００３】
このような電子モジュールは、モジュールアセンブリにまとめることができ、この場合にこのモジュールアセンブリはセーフティシステム、例えばセーフティロックシステムを構成することが可能である。このようなシステムは、例えばオイヒナー（Euchner）社のセーフティシステムＭＧＢによって構成される。このセーフティシステムにより、可動分離式の防護装置、特に防護ドアの確実なロックが保証され、これによって、安全に対してクリティカルな囲われた危険領域への安全な立ち入りが保証される。
【０００４】
このセーフティロックシステムには、グリップモジュールが配置されたロックモジュールが含まれている。これらのモジュールは、防護ドアを確実にロックするために使用される。グリップモジュールのドアハンドルは、ばね力によってロック位置に保持可能であり、また磁力によってアンロック可能である。択一的にはこのドアハンドルを磁力によってロック位置に保持し、ばね力によってアンロックすることが可能である。
【０００５】
上記のセーフティロックシステムは、ロックモジュールに接続可能な機能モジュールと、操作モジュールと、バスモジュールとをさらに有する。操作モジュールは、複数のキーおよびボタンを備えた操作ユニットを有する。バスモジュールは、このセーフティロックシステムを外部バスシステムに接続するために使用される。
【０００６】
個々のモジュールは、プラグおよびソケットのような接続モジュールを介して接続され、これらの接続モジュールからはフラットケーブルが出ており、これらのフラットケーブルは、個々のモジュール内に延在している。
【０００７】
このようなセーフティシステムにおける大きな欠点は、その構成が、特に接続モジュールの形態で固定に設けられるインタフェースによっても、まったく変更できないまたは限定的な範囲でしか変更できないことである。したがってさまざまな応用条件または使用条件への適合は、限られた範囲内でしか可能にならないのである。
【発明の概要】
【発明が解決しようとする課題】
【０００８】
本発明のベースにある課題は、電子モジュール用のモジュールインタフェースを提供し、このモジュールインタフェースにより、特性の異なる複数の電子モジュールに対し、高いフレキシビリティおよび可変の可用性を可能にすることである。
【課題を解決するための手段】
【０００９】
この課題を解決するため、請求項１に記載した特徴的構成が設けられている。本発明の有利な実施形態および目的にかなう発展形態は従属請求項に記載されている。
【００１０】
本発明は、所定極数のコンタクト要素を備えかつ電子モジュールに設けられた装置側コネクタを有する、モジュールインタフェースに関しており、このモジュールインタフェースは、異なる極数のコンタクト要素を備えた複数の対応コネクタとコネクタ接続を形成するように形成されている。
【００１１】
したがって本発明の基本的な着想は、コンビネーションコネクタを備えた電子モジュールを構成して、このコンビネーションコネクタに、異なる極数のコンタクト要素、すなわち複数のコンタクト要素の異なる複数の接続ダイアグラムを備えた複数の対応コネクタを接続できるようにすることである。
【００１２】
これにより、本発明のモジュールインタフェースは、ハードウェア的に設定される所定のタイプに専用に確定されてしまうことがないのである。むしろこの電子モジュールのコンビネーションコネクタには選択的に種々異なるコネクタタイプを接続することができる。
【００１３】
このモジュールインタフェースの多様性により、電子モジュールの可用性も拡張される。特にこの電子モジュールは、種々異なるモジュールアセンブリに使用することができ、その際にこのために電子モジュールまたはモジュールインタフェースにおいてハードウェア変更を行う必要はないのである。本発明によるモジュールインタフェースを用いれば、特に例えば複数のセーフティロックシステムのような変更可能な複数のセーフティシステムを実現することができる。
【００１４】
本発明の重要な様相によれば、種々異なる複数の対応コネクタを、複数の装置側コネクタに接続することにより、モジュールインタフェースおよび／または電子モジュールの機能が変更される。
【００１５】
これにより、電子モジュールのコネクタに差し込まれる対応コネクタを選択するだけで、モジュールインタフェースおよび／または電子モジュールの機能を設定することができる。これは、オペレータが迅速かつ簡単に行うことができる、特に応用の容易な設定選択肢なのである。
【００１６】
基本的には上記の装置側のコンビネーションコネクタをプラグとして形成することが可能である。
【００１７】
特に有利には装置側コネクタは、レセプタクルである。対応コネクタはプラグとして形成される。
【００１８】
本発明の有利な実施形態によれば、種々異なる複数の対応コネクタの複数のコンタクト要素は、装置側コネクタの種々異なる複数のコンタクト要素に接触接続する。
【００１９】
この場合に上記のコンビネーションコネクタは、空間的な配置および個数が、つぎのように選択された複数のコンタクト開口部を有する。すなわち、これらのコンタクト開口部では、種々異なるプラグのコンタクトピンが、対応コンタクトとして接触接続することが可能なのである。上記のコンビネーションコネクタの複数のコンタクト要素の複数の領域をこのようにして空間的に分離することにより、ハードウェア側だけですでに、種々異なる複数の対応コネクタへの一意の対応付けが得られる。
【００２０】
これに対する有利な実施例は、装置側コネクタが、５極の対応コネクタおよび８極の対応コネクタを接続するために構成されることによって得られる。装置側コネクタは、５極の対応コネクタを接続するために５個のコンタクト要素を有しており、８極の対応コネクタを接続するために別の８個のコンタクト要素を有する。
【００２１】
この実施形態では、５極のコネクタは、バスシステムの接続手段を形成することができる。すなわち、この接続手段のコンタクト要素を介してバスデータのシリアル伝送が行われる。これに対して８極のコネクタは、パラレル配線を形成して、モジュールインタフェースの互いに接続された個々のコンタクト要素を介して、それぞれ所期のように所定の信号が伝送されるようにする。すなわち５極の対応コネクタまたは８極の対応コネクタがどちらがコンビネーションコネクタに接続されているかに応じて、モジュールインタフェースを介するデータ伝送のタイプが変化するのである。
【００２２】
本発明の有利な実施形態によれば、装置側コネクタは、電子モジュールに接続可能な接続モジュールを構成する。
【００２３】
電子モジュールは、特にセーフティスイッチまたは一般的にはセーフティシステムのコンポーネントを構成し得る。例えば、電子モジュールは、セーフティロックシステムの構成部分とすることが可能である。
【００２４】
接続モジュールは有利には、電子モジュールのプリント基板に接触接続可能である。
【００２５】
基本的に接続モジュールは、電子モジュールに固定的に配線接続可能である。
【００２６】
接続モジュールは特に有利には、電子モジュールにおける交換可能なユニットを構成する。
【００２７】
これは、例えば、ポゴピンのような差し込み可能接続コンタクトによって実現することが可能である。
【００２８】
第１変形実施形態によれば、上記の対応コネクタまたは各対応コネクタは、電子モジュールに接触接続可能な接続モジュールを構成する。
【００２９】
これにより、種々異なる複数の電子モジュールを直接、モジュールインタフェースの上記のコネクタを介して接続することができる。
【００３０】
第２変形実施形態によれば、上記のコネクタまたは各コネクタは、ケーブルを接続するための接続モジュールの構成部分である。
【００３１】
上記のような接続モジュールによれば、電子モジュール、特にセーフティロックシステムのようなセーフティシステムの電子モジュールを、ケーブル接続部を介して接続することができる。これにより、一般的にはキースイッチのような比較的簡単な付属部品も、または例えばいわゆるスタックライトのような動作状態表示器も、本発明によるモジュールインタフェースと共に動作するモジュールアセンブリに統合することも可能である。
【００３２】
接続モジュールは、この実施形態において、電子モジュールのコンビネーションコネクタに接続可能な対応コネクタの他に、ケーブルコネクタまたはケーブルレセプタクルの形態のケーブル接続部も有する。
【００３３】
一般的にはケーブル接続部のケーブルコネクタまたはケーブルレセプタクルのコンタクト要素の極数は、対応コネクタのコンタクト要素の極数に対応する。
【００３４】
第１変形実施形態によれば、ケーブル接続部のケーブルコネクタまたはケーブルレセプタクルと、対応コネクタとは、同じコンタクト要素の同じ接続ダイアグラムを有する。ケーブル接続部のケーブルコネクタまたはケーブルレセプタクルの各コンタクト要素は、対応コネクタのコンタクト要素の線路に直接接続される。
【００３５】
第２変形実施形態によれば、ケーブル接続部のケーブルコネクタまたはケーブルレセプタクルは、一方では複数のコンタクト要素の複数の接続ダイアグラムを有する。接続モジュールには、複数の変換手段が設けられており、これらの変換手段を用いてケーブル接続部のケーブルコネクタまたはケーブルレセプタクルの接続ダイアグラムが、対応ケーブルコネクタの接続ダイアグラムに変換される。
【００３６】
これらの変換手段は有利には基板を有する。
【００３７】
したがってケーブル接続部におけるわずかな構成コストで、コンビネーションコネクタに直接接続することが可能な、対応コネクタの接続ダイアグラムへの適合化が行われる。
【００３８】
本発明を以下、複数の図面に基づいて説明する。
【図面の簡単な説明】
【００３９】
【図１】本発明によるモジュールアセンブリの実施例の第１変形実施形態を示す図である。
【図２】図１に示したモジュールアセンブリの第２変形実施形態を示す図である。
【図３】図１に示したモジュールアセンブリの第３変形実施形態を示す図である。
【図４】図１に示したモジュールアセンブリの個々の接続モジュールの電気端子を略図する図である。
【図５】図２に示したモジュールアセンブリの個々の接続モジュールの電気端子を略示する図である。
【図６】本発明によるモジュールインタフェースの、プリント基板上に設けられたコンビネーションコネクタを略示する図である。
【図７】図７は、図６に示したアセンブリの第２の視点を示す図である。
【図８】図６および７のコンビネーションコネクタへの第１ケーブル接続モジュールの対応付けを第１の視点から示す図である。
【図９】図６および７のコンビネーションコネクタへの第１ケーブル接続モジュールの対応付けを第２の視点から示す図である。
【図１０】コンビネーションコネクタに接続されている図８および図９のケーブル接続モジュールを示す図である。
【図１１】第２ケーブル接続モジュールの前面の斜視図である。
【図１２】第２ケーブル接続モジュールの後面の斜視図である。
【図１３】コンビネーションコネクタに接続されている第２ケーブル接続モジュールを示す図である。
【図１４】第２ケーブル接続モジュールの変換手段を第１の視点で示す斜視図である。
【図１５】第２ケーブル接続モジュールの変換手段を第２の視点で示す斜視図である。
【発明を実施するための形態】
【００４０】
図１〜図３には、本発明によるモジュールインタフェースの応用例として、モジュールアセンブリ１の３つの変形実施形態が示されている。モジュールアセンブリ１は、この実施例の場合にセーフティシステム、特にセーフティロックシステムを構成しており、このシステムは、基本モジュールとしてロックモジュール２を有する。図１のアセンブリでは、ロックモジュール２の右側に、右側グリップモジュール３が配置されている。図２のアセンブリは、同じロックモジュール２の左側に、左側グリップモジュール３’が配置されている。これらの２つのケースにおいて、グリップモジュール３、３’はドアハンドル４を有する。
【００４１】
ロックモジュール２およびグリップモジュール３、３’は、防護ドアまたはこれに類するものの確実なロックを保証する機能ユニットを構成している。基本的にはドアハンドル４をばね力によってロック位置に保持し、磁力によってアンロックすることが可能である。この例の場合、ドアハンドル４は、ロックモジュール２内に配置された磁石によって形成される磁力によってロック位置に保持され、ばね力によってアンロックされる。
【００４２】
図１〜図３のモジュールアセンブリ１はさらに、第１機能モジュールとして操作モジュール５を、また第２機能モジュールとしてバスモジュール６を有する。操作モジュール５は、操作ユニットを構成しており、かつ、操作要素として複数のキー７を有する。ロックモジュール２それ自体も、セーフティシステムの操作のために緊急停止キー８および別の複数のキー９ａ、９ｂを有する。バスモジュール６は、セーフティシステムを外部バスシステムに接続するために使用される。
【００４３】
図１〜図３のモジュールアセンブリ１は一般的に、このモジュールアセンブリが、グリップモジュール３、３’を備えた複数のロックモジュール２を有し、または、複数のバスモジュール６もしくは操作モジュール５のような複数の機能モジュールも有するように拡張することも可能である。
【００４４】
基本モジュールと機能モジュールとの間の電気接続は、接続モジュール１０、１１によって行われる。
【００４５】
このような接続モジュール１０、１１は、基本モジュールまたは機能モジュールに取り付けるため、そのハウジング２ａ、５ａ、６ａの凹部１２に挿入される。接続モジュール１０、１１を挿入すると、この接続モジュールは、基本モジュールまたは機能モジュール内の図示しないプリント基板に電気的に接触接続する。このプリント基板にはデータバスシステムのバス線路が延在しており、このデータバスシステムは、外部バスシステムとは独立して動作する、セーフティシステムの内部バスシステムを構成している。このデータバスシステムは、特にＣＡＮバスとして形成することが可能である。これらのプリント基板に接触接続するため、各接続モジュール１０、１１は接触接続インタフェースを有する。
【００４６】
接続モジュール１０、１１は、モジュラ式システムを構成する。モジュールアセンブリ１の複数のモジュールは、接続モジュール１０、１１によって直接（図１および図２）またはケーブル１３、１４を介して（図３）接続可能である。
【００４７】
セーフティシステムのこれらのモジュールは有利には、図３に示したプロファイルレール１５に固定される。
【００４８】
ロックモジュール２は、モジュールアセンブリ１の基本モジュールとして、対向する面に２つの接続モジュール１０、１１を有しており、これらの接続モジュールは電気端子が、ロックモジュール２の１８０°の回転に関して回転不変性を有する。このことが意味するのは、ロックモジュール２は、（図１に示した）第１の回転位置においても、これに対して１８０°回転した（図２に示した）第２の回転位置においても共に、操作モジュール５およびバスモジュール６への完全に同一な接続インタフェースを形成し、ひいては２つの回転位置において、付加的なバス接続部なしに同じ仕方で操作モジュール５およびバスモジュール６に接続できるということである。このことがさらに意味するのは、同じ１つのロックモジュール２を、右側グリップモジュール３（図１）を接続するためにも、左側グリップモジュール３’（図２）を接続するためにも使用できることである。第１のケース（図１）では、右側グリップモジュール３を収容するため、ロックモジュール２の収容部１６は右に開いている。第２のケースでは（図２）では収容部１６は、左側グリップモジュール３’を収容するため、収容部１６は左に開いている。
【００４９】
ロックモジュール２の接続モジュール１０、１１の電気端子の回転不変性は、図４および図５に示した接続配置構成によって得られる。
【００５０】
図４および図５には、接続モジュール１０、１１として２つのプラグモジュール１０ａ、１０ｂを備えたロックモジュール２と、接続モジュール１０、１１として１つずつのソケットモジュール１１ａ、１１ｂを備えた操作モジュール５およびバスモジュール６が略示されている。択一的には、２つのソケット１１ａ、１１ｂを備えたロックモジュール２を構成することも可能である。この場合にはこれに対応して、操作モジュール５およびバスモジュール６にプラグモジュール１０ａ、１０ｂが設けられることになる。
【００５１】
図４および図５の配置構成の各ソケットモジュール１１ａ、１１ｂおよび各プラグモジュール１０ａ、１０ｂは、外部側に配置された（それぞれＩが付された）接続コンタクトＡ、Ｂ、Ｃ、Ｄ、Ｅを有しており、これらは、対向して対応付けられた接続モジュール１０、１１の各接続コンタクトＡ、Ｂ、Ｃ、Ｄ、Ｅに対応付けられている。さらに図４および図５の配置構成の各ソケットモジュール１１ａ、１１ｂおよび各プラグモジュール１０ａ、１０ｂは、内部側に配置された（それぞれＩＩが付された）接続コンタクトＡ、Ｂ、Ｃ、Ｄ、Ｅを有しており、これらはそれぞれ、ロックモジュール２、操作モジュール５ないしはバスモジュール６の内部に配置されているプリント基板１８に接続されている。
【００５２】
操作モジュール５ないしはバスモジュール６に組み込まれているソケットモジュール１１ａ、１１ｂでは、内部側に配置される接続コンタクトＩＩと、外部側に配置される接続コンタクトＩとはそれぞれ、直線的に延在する線路によって接続されるため、内部側に配置される接続コンタクトＩＩの配置構成Ａ、Ｂ、Ｃ、Ｄ、Ｅは、外部側に配置される接続コンタクトＩの配置構成Ａ、Ｂ、Ｃ、Ｄ、Ｅに対応する。
【００５３】
しかしながらロックモジュール２におけるプラグモジュール１０ａ、１０ｂでは、内部側に配置された接続コンタクトＩＩは、交差した線路を介して、外部側に配置された接続コンタクトＩに接続されるため、内部側に配置された接続コンタクトＩＩの順序（Ａ、Ｂ、Ｃ、Ｄ、Ｅ）は、外部側に配置された接続コンタクトＩの順序に対して逆（Ｅ、Ｄ、Ｃ、Ｂ、Ａ）になる。さらにプラグモジュール１０ａ、１０ｂの内部側に配置された２つの接続コンタクトＩＩは、交差した線路を介して接続されており、プラグモジュール１０ｂの接続コンタクトＩＩの順序（Ａ、Ｂ、Ｃ、Ｄ、Ｅ）は、プラグ１０ａの接続コンタクトＩの順序（Ｅ、Ｄ、Ｃ、Ｂ、Ａ）に対して逆になっている。
【００５４】
プラグモジュール１０ａ、１０ｂの接続コンタクトＩ、ＩＩのこの配線により、図４および図５の比較が示すように、これらの接続は、１８０°の回転に関して回転不変性を有する。図４に示した配置構成では、ロックモジュール２は、右側グリップモジュール３を接続するために収容部１６が右に配置されている第１回転位置にある。図５に示した配置構成では、ロックモジュール２は、第１回転位置に対して１８０°回転させた第２回転位置にあり、ここでは、左側グリップモジュール３’を接続するために収容部１６が左に配置されている。これらの２つの配置構成において、操作モジュール５ないしはバスモジュール６のソケットモジュール１１ａ、１１ｂに対し、完全に同一なプラグモジュール１０ａ、１０ｂの接続が得られる。
【００５５】
図６〜図１５には、本発明による複数のモジュールインタフェースないしはそれらのコンポーネントの複数の実施形態が示されている。
【００５６】
図６および図７には、コンビネーションコネクタ１７、すなわち本発明によるモジュールインタフェースのコンポーネントとしての装置側コネクタが示されている。コンビネーションコネクタ１７は、電子モジュールに組み込まれる接続モジュール１０、１１を構成しており、このような電子モジュールは、例えば、図１〜図５の実施例に示したロックモジュール２、操作モジュール５またはバスモジュール６であってよい。電子モジュールにおける組み込みは、図６および図７に示したように、プリント基板１８にコンビネーションコネクタ１７を接続することによって行われる。
【００５７】
コンビネーションコネクタ１７はその前面にコンタクト開口部１９の形態の複数のコンタクト要素を有する。コンビネーションコネクタ１７の後面では複数の線路２０が出ており、これらの線路２０により、コンビネーションコネクタ１７はプリント基板１８のコンタクトに接続される。ここでは１つずつの線路２０が、コンビネーションコネクタ１７の１つのコンタクト開口部１９に対応付けられている。コンタクト開口部１９を有する前面側は、プリント基板１８の面に対して垂直に配置されているため、コンビネーションコネクタ１７を出る線路２０は、プリント基板１８上に案内される前に向きが９０°変えられる。
【００５８】
極数、すなわちコンビネーションコネクタ１７のコンタクト開口部１９の個数、およびそれらの配置は、すなわちコンタクト開口部１９の接続ダイアグラムは、本発明において、種々異なる極数および接続ダイアグラムを有する種々異なる対応コネクタを、コンビネーションコネクタ１７のコンタクト開口部１９に接続できるように構成される。
【００５９】
このような装置側コネクタのさまざまな例は、図８〜図１５に示されている。
【００６０】
図８および図９では、第１対応コネクタが、第１ケーブル接続モジュール２１ａの構成部分として示されている。この対応コネクタは、５極のプラグ２２ａとして形成されており、すなわちプラグ２２ａは、５個のコンタクトピン２３ａを有する。プラグ２２ａの５個のコンタクトピン２３ａは、コンビネーションコネクタ１７にプラグ２２ａを差し込むことにより、コンビネーションコネクタ１７の中央の５個のコンタクト開口部１９に挿入することができ、これによって本発明によるモジュールインタフェースが構成される。図１０には、コンビネーションコネクタ１７にこのようにして接触接続されるケーブル接続モジュール２１ａが示されている。
【００６１】
ケーブル接続モジュール２１ａは、コンビネーションコネクタ１７に接続するためのプラグ２２ａの他に、ケーブル１４に接続するためのケーブル接続部も有する。このケーブル接続部は、この実施例の場合、規格化されたＭ１２接続部として形成されている。ここでこのケーブル接続部は、コンビネーションコネクタ１７の形態で形成されている。このコンビネーションコネクタ１７は、ケーブル接続モジュール２１ａのプラグ２２ａと同様に５極で形成されており、このコンビネーションコネクタ１７のこれらの５個のコンタクトピン２５は同じ接続ダイアグラムを、すなわちプラグ２２ａのコンタクトピン２３ａと同じ配置構成を有する。この場合、コンビネーションコネクタ１７のこれらのコンタクトピン２５はそれぞれ、線路２６を介してプラグ２２ａのコンタクトピン２３ａに直接接続される。
【００６２】
図８〜図１０のケーブル接続モジュール２１ａのプラグ２２ａに加え、図１１〜図１５のケーブル接続モジュール２１ｂのプラグ２２ｂも図６および図７のコンビネーションコネクタ１７に接続することができる。ケーブル接続モジュール２１ｂのプラグ２２ｂは、８極に形成されている。すなわちこのプラグは８個のコンタクトピン２３ｂを有する。これらの８個のコンタクトピン２３ｂは、４個のピンからなる２つのグループに分けられ、これらのグループは、プラグ２２ｂの中心軸に対して鏡映対称に配置されている。したがってコンビネーションコネクタ１７にプラグ２２ｂを差し込むと、８個のコンタクトピン２３ｂが、コンビネーションコネクタ１７の外側に配置されているコンタクト開口部１９に導き入れられる。
【００６３】
これにより、一方でプラグ２２ｂがコンビネーションコネクタ１７に接触接続する際、また他方でプラグ２２ａがコンビネーションコネクタ１７に接触接続する際、コンビネーションコネクタ１７の配置された相補的な複数のコンタクト開口部１９が利用される。すなわちコンビネーションコネクタ１７の各コンタクト開口部１９は、一方のコネクタ２２ａまたは２２ｂだけによって利用されるのである。これにより、コンビネーションコネクタ１７の複数のコンタクト開口部１９は、ハードウェア的に一意に、プラグ２２ａ、ｂのうちのそれぞれ１つだけの複数のコンタクトピン２３ｂに対応付けられる。
【００６４】
これに相応して、コンビネーションコネクタ１７のコンタクト要素の個数は、接続すべき種々異なるコネクタ変形形態のコンタクト要素の合計に等しくなる。したがってこの実施例では、８極のコネクタ変形形態および５極のコネクタ変形形態をコンビネーションコネクタ１７に接続することができるため、このコンビネーションコネクタ１７は、１３個のコンタクト要素を有する。
【００６５】
ケーブル接続モジュール２１ｂは、コネクタ２２ｂの他に、この実施例ではケーブルレセプタクル２７として形成されているケーブル接続部を有する。このケーブルレセプタクルは、ケーブル１４用の規格化されたＭ１２接続部を構成する。このケーブルレセプタクル２７は、８個のコンタクト開口部１９を有する。これにより、ケーブルレセプタクル２７も、ケーブル接続モジュール２１ｂのプラグ２２ｂと同様に８極の接続要素３０を構成する。しかしながら図１１および図１２の比較が示すように、ケーブルレセプタクル２７の接続ダイアグラムと、プラグ２２ｂの接続ダイアグラムとは、すなわちそれらのコンタクト要素の幾何学的な配置は異なっている。
【００６６】
これらの接続ダイアグラムを変換するため、ホルダ２８上に配置される基板２９の形態の変換手段が設けられている。これらの要素は、図１３が示すようにケーブル接続モジュール２１ｂの内部空間に配置されている。図１４および図１５が示すように、プラグ２２ｂのコンタクトピン２３ｂは、ホルダ２８上に配置されており、かつ、基板２９に案内されている。ケーブルレセプタクル２７のコンタクト開口部２８を形成する接続要素３０は、基板２９上に直接配置されている。この変換により、一方ではプラグ２２ｂを有するケーブル接続モジュール２１ｂを、コンビネーションコネクタ１７に直接差し込むことができる。なぜならばプラグ２２ｂのコンタクトピン２３ｂの接続ダイアグラムは、コンビネーションコネクタ１７のコンタクト開口部１９の接続ダイアグラムに整合しているからである。他方では、ケーブル１４をケーブルレセプタクル２７に差し込むことができる。なぜならばここでも２つの接続ダイアグラムが互いに整合させられているからである。
【符号の説明】
【００６７】
１  モジュールアセンブリ、  ２  ロックモジュール、  ２ａ  ハウジング、  ３  右側グリップモジュール、  ３’  左側グリップモジュール、  ４  ドアハンドル、  ５  操作モジュール、  ５ａ  ハウジング、  ６  バスモジュール、  ６ａ  ハウジング、  ７  キー、  ８  緊急停止キー、  ９ａ、９ｂ  キー、  １０  接続モジュール、  １０ａ、１０ｂ  プラグモジュール、  １１  接続モジュール、  １１ａ、１１ｂ  ソケットモジュール、  １２  凹部、  １３  ケーブル、  １４  ケーブル、  １５  プロファイルレール、  １６  収容部、  １７  コンビネーションコネクタ、  １８  プリント基板、  １９  コンタクト開口部、  ２０  線路、  ２１ａ  ケーブル接続モジュール、  ２１ｂ  ケーブル接続モジュール、  ２２ａ  プラグ、  ２２ｂ  プラグ、  ２３ａ  コンタクトピン、  ２３ｂ  コンタクトピン、  ２４  ケーブルコネクタ、  ２５  コンタクトピン、  ２６  線路、  ２７  ケーブルレセプタクル、  ２８  ホルダ、  ２９  基板、  ３０  接続要素
【図４】
2017037840.tif 000003
【図５】
2017037840.tif 000004
【図６】
2017037840.tif 000005
【図７】
2017037840.tif 000006
【図８】
2017037840.tif 000007
【図９】
2017037840.tif 000008
【図１０】
2017037840.tif 000009
【図１１】
2017037840.tif 000010
【図１２】
2017037840.tif 000011
【図１３】
2017037840.tif 000012
【図１４】
2017037840.tif 000013
【図１５】
2017037840.tif 000014
【図１】
2017037840.tif 000015
【図２】
2017037840.tif 000016
【図３】
2017037840.tif 000017
【外国語明細書】
2017037840.tif 000018
2017037840.tif 000019
2017037840.tif 000020
2017037840.tif 000021
2017037840.tif 000022
2017037840.tif 000023
2017037840.tif 000024
2017037840.tif 000025
2017037840.tif 000026
2017037840.tif 000027
2017037840.tif 000028
2017037840.tif 000029
2017037840.tif 000030
2017037840.tif 000031
2017037840.tif 000032
2017037840.tif 000033
2017037840.tif 000034
2017037840.tif 000035
2017037840.tif 000036
2017037840.tif 000037
2017037840.tif 000038
2017037840.tif 000039
2017037840.tif 000040
2017037840.tif 000041
2017037840.tif 000042
2017037840.tif 000043
2017037840.tif 000044
2017037840.tif 000045
2017037840.tif 000046
2017037840.tif 000047